(57)【要約】【課題】実装後のＲＣスナバ回路の調整を容易にする。【解決手段】電源（２０）から電磁機器（３０）への電流の供給と遮断を切り替えるスイッチング素子（３１）と、前記スイッチング素子（３１）に並列に接続されるＲＣスナバ回路（６）と、を備え、前記ＲＣスナバ回路（６）は、抵抗器として可変抵抗器（６１）を備え、コンデンサとして可変コンデンサ（６２）を備える、電源制御装置（１０）。【選択図】図１
2020092331.tif 000002
【特許請求の範囲】
【請求項１】
電源（２０）から電磁機器（３０）への電流の供給と遮断を切り替えるスイッチング素子（３１）と、
前記スイッチング素子（３１）に並列に接続されるＲＣスナバ回路（６）と、を備え、
前記ＲＣスナバ回路（６）は、抵抗器として可変抵抗器（６１）を備え、コンデンサとして可変コンデンサ（６２）を備える、
電源制御装置（１０）。
【請求項２】
前記可変抵抗器（６１）の抵抗と、前記可変コンデンサ（６２）の静電容量を調整する制御部（１１）を備える、
請求項１に記載の電源制御装置（１０）。
【請求項３】
前記スイッチング素子（３１）と前記電磁機器（３０）間の電圧を検出する検出部（４）を備え、
前記制御部（１１）は、前記検出部（４）により検出された前記電圧が閾値以上である場合、前記可変抵抗器（６１）の抵抗と、前記可変コンデンサ（６２）の静電容量の調整を行う、
請求項２に記載の電源制御装置（１０）。
【請求項４】
前記制御部（１１）は、前記可変コンデンサ（６２）の静電容量を、前記スイッチング素子（３１）のＯＮとＯＦＦの切り替えにより生じるＬＣ共振の共振周波数が一定周波数以下になるときの静電容量に調整し、調整した前記静電容量から前記ＬＣ共振における特性インピーダンスを演算し、前記可変抵抗器（６１）の抵抗を前記特性インピーダンスと同じ値に調整する、
請求項２又は３に記載の電源制御装置（１０）。
【請求項５】
前記可変抵抗器（６１）は、スイッチドキャパシタ（６１）であり、
前記可変コンデンサ（６２）は、トリムコンデンサ（６２）である、
請求項１〜４のいずれか一項に記載の電源制御装置（１０）。
【発明の詳細な説明】
【技術分野】
【０００１】
本発明は、電源制御装置に関する。
【背景技術】
【０００２】
電源のスイッチ回路では、回路中の寄生インダクタンスと寄生容量によってＬＣ共振が起こり、スイッチを切り替えたときにリンギングと呼ばれる高周波の電圧変動が生じることがある。ＬＣ共振による電圧変動を抑える手法の１つとして、従来、ＲＣスナバ回路が用いられている（例えば、特許文献１参照。）。
【０００３】
一般的に、変動する電圧の周波数、すなわち共振周波数の計測値からＬＣ共振の抑制に有効な抵抗と静電容量が決定され、決定された抵抗と静電容量をそれぞれ有する抵抗器とコンデンサがＲＣスナバ回路として実装される。
【先行技術文献】
【特許文献】
【０００４】
【特許文献１】特開２０１７−２０４９５０号公報
【発明の概要】
【発明が解決しようとする課題】
【０００５】
しかしながら、ＲＣスナバ回路の実装後に、ＲＣスナバ回路の抵抗と静電容量の再調整が必要になることがある。例えば、車両に搭載される電磁機器の動作を電子制御ユニット（ＥＣＵ：Electronic Control Unit）により制御する場合、ＥＣＵ内に電源のスイッチング素子とともにＲＣスナバ回路が実装される。実装されたＲＣスナバ回路の抵抗と静電容量は適正値に調整されているが、実装後に電磁機器の種類、動作の仕様等が変更されると、ＬＣ共振の共振周波数も変化し、ＲＣスナバ回路の抵抗と静電容量も再調整が必要になる。再調整の都度、ＥＣＵ内のＲＣスナバ回路の抵抗器とコンデンサを交換しなければならず、作業の手間と費用が発生する。
【０００６】
本発明は、実装後のＲＣスナバ回路の調整を容易にすることを目的とする。
【課題を解決するための手段】
【０００７】
本発明の一態様によれば、電源（２０）から電磁機器（３０）への電流の供給と遮断を切り替えるスイッチング素子（３１）と、前記スイッチング素子（３１）に並列に接続されるＲＣスナバ回路（６）と、を備え、前記ＲＣスナバ回路（６）は、抵抗器として可変抵抗器（６１）を備え、コンデンサとして可変コンデンサ（６２）を備える、電源制御装置（１０）が提供される。
【発明の効果】
【０００８】
本発明によれば、実装後のＲＣスナバ回路の調整を容易にすることができる。
【図面の簡単な説明】
【０００９】
【図１】本発明の一実施形態のＥＣＵの構成例を示すブロック図である。
【図２】ＬＣ共振による電圧Ｖｏｕｔの変動例を示すグラフである。
【図３】図２中の破線枠内の電圧Ｖｏｕｔの拡大図である。
【図４】ＬＣ共振による変動が抑制された電圧Ｖｏｕｔの一例を示すグラフである。
【図５】制御部が、ＲＣスナバ回路の抵抗と静電容量を調整するときの処理手順を示すフローチャートである。
【図６】制御部が、共振周波数を計測するときの処理手順を示すフローチャートである。
【発明を実施するための形態】
【００１０】
以下、本発明の電源制御装置の実施の形態について、図面を参照して説明する。以下に説明する構成は、本発明の一実施態様としての一例（代表例）であり、本発明は以下に説明する構成に限定されない。
【００１１】
図１は、本発明の電源制御装置の一実施形態であるＥＣＵ１０の構成を示す。
図１に示すように、車両のエンジンを制御するＥＣＵ１０は、車両に搭載された電源２０と電磁機器３０に接続されている。電源２０は、例えばバッテリであり、ＥＣＵ１０又は電磁機器３０へ電源を供給する。電磁機器３０は、例えばエンジンに設けられた電磁弁、アクチュエータ、モータ等である。ＥＣＵ１０は、電源２０から電磁機器３０への電源供給を制御する。
【００１２】
ＥＣＵ１０は、図１に示すように、マイクロコンピュータ１、電源ＩＣ２、駆動制御ＩＣ３、電圧検出ＩＣ４、シャント抵抗５及びＲＣスナバ回路６を備える。マイクロコンピュータ１は、制御部１１、記憶部１２、タイマー１３及びカウンタ１４を備える。
【００１３】
制御部１１は、ＣＰＵ（Central Processing Unit）、ＲＡＭ（Random access memory）、レジスタ等により構成される。制御部１１は、記憶部１２に記憶されたプログラムにしたがって、エンジン制御のための各種処理を実行する。例えば、制御部１１は、電磁機器３０の駆動又は駆動停止の指示信号を駆動制御ＩＣ３に出力する。また、制御部１１は、ＲＣスナバ回路６の抵抗Ｒｓｎｂ及び静電容量Ｃｓｎｂを調整する。
【００１４】
記憶部１２は、制御部１１により読み取り可能なプログラム、プログラムの実行に用いられるデータ等を記憶する。記憶部１２としては、フラッシュメモリ、ＥＥＰＲＯＭ（Electrically Erasable Programmable Read-Only Memory）等の不揮発性メモリを用いることができる。
【００１５】
タイマー１３は、制御部１１の指示にしたがって計時を開始及び停止する。
カウンタ１４は、制御部１１の指示にしたがってカウントする。
【００１６】
電源ＩＣ２は、電源２０から供給される電源電圧を必要な電圧に変換してＥＣＵ１０の各部へ出力する。例えば、電源ＩＣ２は、電源２０から供給される１２Ｖの電源電圧を、マイクロコンピュータ１に適した５Ｖの電圧に変換してマイクロコンピュータ１に供給する。
【００１７】
駆動制御ＩＣ３は、電源２０と電磁機器３０間に接続され、電源２０から電磁機器３０への電流の供給を制御することにより、電磁機器３０を駆動する。
駆動制御ＩＣ３は、スイッチング素子３１及び論理回路３２を備える。本実施形態では、スイッチング素子３１としてＭＯＳＦＥＴ（Metal-Oxide-Semiconductor Field-Effect Transistor）を使用した例を説明するが、ＭＯＳＦＥＴ以外の公知のスイッチング素子を使用することもできる。論理回路３２には、スイッチング素子３１のゲートへ駆動電流が電源ＩＣ２から供給される。
【００１８】
論理回路３２は、マイクロコンピュータ１から電磁機器３０の駆動の指示信号が入力されると、電源ＩＣ２からの駆動電流をスイッチング素子３１のゲートへ供給して、スイッチング素子３１をＯＮに切り替える。スイッチング素子３１がＯＮに切り替わると、スイッチング素子３１と電磁機器３０間の電圧Ｖｏｕｔが基準電圧ＧＮＤに降下し、電源２０から電磁機器３０へ電流が供給される。
【００１９】
スイッチング素子３１がＯＮの状態で、マイクロコンピュータ１から電磁機器３０への駆動停止の指示信号が入力されると、論理回路３２は、スイッチング素子３１への駆動電流の供給を停止し、スイッチング素子３１をＯＦＦに切り替える。スイッチング素子３１がＯＦＦに切り替わると、電圧Ｖｏｕｔは基準電圧ＧＮＤから定常時の電圧ＶＥまで上昇するため、電源２０から電磁機器３０へ供給されていた電流が遮断される。電圧ＶＥは、電源２０の定常電圧である。
【００２０】
電圧検出ＩＣ４は、スイッチング素子３１と電磁機器３０間の電圧Ｖｏｕｔを検出する検出部である。電圧検出ＩＣ４は、スイッチング素子３１と電磁機器３０間に設けられたシャント抵抗５の両端の電位差を、電圧Ｖｏｕｔとして検出する。なお、電圧Ｖｏｕｔの検出部としては、オペアンプ、トランジスタ等を用いたコンパレータ等であってもよい。
【００２１】
（ＲＣスナバ回路）
ＲＣスナバ回路６は、スイッチング素子３１に並列に接続される。電源２０から電磁機器３０への電流の供給と遮断をスイッチング素子３１によって切り替えると、電磁機器３０に用いられるコイルの寄生インダクタンス、スイッチング素子３１の寄生容量等によってＬＣ共振が起こり、高周波の電圧変動が生じることがある。ＲＣスナバ回路６は、このＬＣ共振による電圧変動を抑える。
【００２２】
本実施形態のＲＣスナバ回路６は、抵抗器として可変抵抗器であるスイッチドキャパシタ６１を備え、コンデンサとして可変コンデンサであるトリムコンデンサ６２を備える。ＲＣスナバ回路６内には、トリムコンデンサ６２の静電容量を変更するためのモータ等の駆動部６３が設けられる。ＲＣスナバ回路６の抵抗Ｒｓｎｂと静電容量Ｃｓｎｂは、可変抵抗器であるスイッチドキャパシタ６１と、可変コンデンサであるトリムコンデンサ６２により、調整することができる。
【００２３】
スイッチドキャパシタ６１は抵抗の変更が容易であり、可変抵抗器として好ましく使用できるが、ＲＣスナバ回路６の可変抵抗器としては、抵抗を変更できるのであればスイッチドキャパシタ６１に限定されず、ボリューム、ポテンショメータ等の他の可変抵抗器が用いられてもよい。駆動部６３のように、必要に応じて、可変抵抗器の抵抗を変更するためのモータ等の駆動部を設ければよい。同様に、トリムコンデンサ６２は静電容量の変更が容易であり、可変コンデンサとして好ましく使用できるが、可変コンデンサとしては、静電容量を変更できるのであればトリムコンデンサ６２に限定されず、可変容量ダイオード、ＭＥＭＳ（Micro Electro Mechanical Systems）等が用いられてもよい。
【００２４】
スイッチドキャパシタ６１は、スイッチング素子６１１及びコンデンサ６１３を備える。スイッチドキャパシタ６１は、スイッチング素子６１１のＯＮとＯＦＦを交互に切り替えて、コンデンサ６１３の充電と放電を繰り返すことにより、抵抗Ｒｓｗを発生させる。スイッチドキャパシタ６１の抵抗Ｒｓｗは、コンデンサ６１３の静電容量Ｃｓｗと、スイッチング素子６１１のＯＮとＯＦＦの切り替えの周波数、すなわちスイッチング周波数ｆｓｗにより、下記式で表される。
Ｒｓｗ＝１／（ｆｓｗ・Ｃｓｗ）
【００２５】
スイッチング素子６１１のＯＮとＯＦＦの切り替えは、制御部１１から供給される駆動電流によって制御される。スイッチドキャパシタ６１の抵抗Ｒｓｗが、制御部１１においてＬＣ共振を抑制するために演算されたＲＣスナバ回路６の抵抗Ｒｓｎｂとなるように、制御部１１によってスイッチング周波数ｆｓｗが制御される。
【００２６】
トリムコンデンサ６２は、例えば対向面積を調整可能な２つの電極と、２つの電極間に挟持された誘電体とを備える。各電極の対向面積を調整することで、トリムコンデンサ６２の静電容量Ｃｔが変化する。例えば、トリムコンデンサ６２が備える一方の電極が回転体として設けられた場合、制御部１１の指示にしたがって駆動部６３が当該一方の電極を回転させることで、２つの電極の対向面積が調整される。
【００２７】
トリムコンデンサ６２の静電容量Ｃｔは、制御部１１においてＬＣ共振を抑制するために演算されたＲＣスナバ回路６の静電容量Ｃｓｎｂとなるように、制御部１１によって調整される。
【００２８】
（制御例）
上述のように、電磁機器３０に用いられるコイルの寄生インダクタンス、スイッチング素子３１の寄生容量等によってＬＣ共振が起こると、電圧Ｖｏｕｔに高周波の電圧変動が生じることがある。
【００２９】
図２は、ＬＣ共振による電圧Ｖｏｕｔの変動例を示す。
図２に示すように、論理回路３２とスイッチング素子３１間の電圧Ｖｇ１がＬｏレベルからＨｉレベルへ上昇すると、スイッチング素子３１がＯＮに切り替わる。電圧Ｖｏｕｔは定常時の電圧ＶＥから基準電圧ＧＮＤに降下するため、電源２０から電磁機器３０へ電流が供給される。一方、論理回路３２とスイッチング素子３１間の電圧Ｖｇ１がＨｉレベルからＬｏレベルに降下すると、スイッチング素子３１はＯＦＦに切り替わる。電圧Ｖｏｕｔが電圧ＶＥに上昇するため、電源２０から電磁機器３０への電流供給が遮断される。
【００３０】
ＲＣスナバ回路６の抵抗Ｒｓｎｂと静電容量Ｃｓｎｂが適正値ではない場合、ＬＣ共振による電圧変動の抑制効果が小さい。そのため、図２に示すように、スイッチング素子３１がＯＮからＯＦＦに切り替わったときに、ＬＣ共振によって電圧Ｖｏｕｔが瞬間的に上昇する変動が生じる。
【００３１】
図３は、図２中の破線枠内の電圧Ｖｏｕｔの拡大図である。
図３に示すように、電圧Ｖｏｕｔは、定常時の電圧ＶＥを超えて急上昇した後、ＬＣ共振の共振周波数ｆｒと同じ周波数で振動しながら、電圧ＶＥに収束する。いわゆるリンギングが生じている。
【００３２】
一方、図４は、ＬＣ共振による変動が抑制された電圧Ｖｏｕｔの一例を示す。
ＲＣスナバ回路６の抵抗Ｒｓｎｂと静電容量Ｃｓｎｂが適正値に調整された場合、図４に示すように、振動する電圧Ｖｏｕｔの周波数が共振周波数ｆｒの一定周波数以下、例えば２分の１以下の低周波数となり、電圧Ｖｏｕｔの変動が抑制される。
【００３３】
上記ＲＣスナバ回路６のスイッチドキャパシタ６１は抵抗Ｒｓｗが変更可能であり、トリムコンデンサ６２は静電容量Ｃｔが変更可能である。そのため、ＲＣスナバ回路６の抵抗Ｒｓｎｂと静電容量Ｃｓｎｂの適正値への調整は、ＥＣＵ１０への実装前に行うこともできるし、実装後に行うこともできる。一度調整した後、車両の仕様、電磁機器３０の動作仕様等が変更になり、適正値でなくなった場合も、抵抗Ｒｓｎｂと静電容量Ｃｓｎｂの再調整が可能である。
【００３４】
図５は、マイクロコンピュータ１の制御部１１が、ＲＣスナバ回路６の抵抗Ｒｓｎｂと静電容量Ｃｓｎｂを調整するときの処理手順を示す。
図５に示すように、制御部１１は、電磁機器３０の駆動の指示信号を駆動制御ＩＣ３に出力する（ステップＳ１１）。次いで、制御部１１は、電圧検出ＩＣ４により検出された電圧Ｖｏｕｔを取得して（ステップＳ１２）、閾値Ｖｔｈと比較する。閾値Ｖｔｈは、図３に示すように、電圧ＶＥより一定値以上大きい電圧値であり、任意に決定される。
【００３５】
電圧Ｖｏｕｔが閾値Ｖｔｈ未満である場合（ステップＳ１３：ＮＯ）、電圧Ｖｏｕｔの変動は小さいため、本処理を終了する。電圧Ｖｏｕｔが閾値Ｖｔｈ以上である場合（ステップＳ１３：ＹＥＳ）、電圧Ｖｏｕｔの変動が大きいため、制御部１１はＲＣスナバ回路６の抵抗Ｒｓｎｂと静電容量Ｃｓｎｂの調整を行う。
【００３６】
まず、制御部１１は、共振周波数ｆｒを計測する（ステップＳ１４）。図３に示すように、共振周波数ｆｒで振動する電圧Ｖｏｕｔは、電圧ＶＥを基準として正弦波状に変動する。よって、制御部１１は、電圧Ｖｏｕｔが、電圧ＶＥに到達してからいったん上昇した後、再び電圧ＶＥまで下降し、さらに下降した後に上昇して再び電圧ＶＥに到達するまでの１周期の時間Ｔを計測することにより、共振周波数ｆｒを求めることができる。
【００３７】
図６は、制御部１１が共振周波数ｆｒを計測するときの具体的な処理手順を示す。
図６に示すように、制御部１１は、電圧ＶＥと等しい電圧Ｖｏｕｔが電圧検出ＩＣ４により検出されると（ステップＳ３１：ＹＥＳ）、カウンタ１４により電圧Ｖｏｕｔが電圧ＶＥに到った回数をカウントアップする。また、制御部１１は、タイマー１３による計時を開始する（ステップＳ３２）。
【００３８】
その後、電圧ＶＥを超えた電圧Ｖｏｕｔが検出され（ステップＳ３３：ＹＥＳ）、再び電圧ＶＥと等しい電圧Ｖｏｕｔが検出されると（ステップＳ３４：ＹＥＳ）、制御部１１は、カウンタ１４により電圧Ｖｏｕｔが電圧ＶＥに到った回数をカウントアップする（ステップＳ３５）。
【００３９】
さらに、電圧ＶＥより低い電圧Ｖｏｕｔが検出された（ステップＳ３６：ＹＥＳ）後、電圧ＶＥと等しい電圧Ｖｏｕｔが検出されると（ステップＳ３７：ＹＥＳ）、制御部１１はカウンタ１４により電圧ＶＥに到った回数をカウントアップする（ステップＳ３８）。
【００４０】
カウンタ１４のカウント数が３に到ると、制御部１１はタイマー１３の計時を終了させて、計時した時間Ｔを取得する（ステップＳ３９）。時間Ｔは、共振周波数ｆｒの１周期に相当するので、制御部１１は、下記式（１）により時間Ｔから共振周波数ｆｒを計算する（ステップＳ４０）。計算後、制御部１１はタイマー１３及びカウンタ１４を初期化して（ステップＳ４１）、図５に示すステップＳ１５へ移行する。
（１）  ｆｒ＝１／Ｔ
【００４１】
一方、電圧Ｖｏｕｔが、電圧ＶＥに到達して上昇した後、下降して電圧ＶＥに到達し、さらに下降した後、上昇して電圧ＶＥに到達する所定の振動が検出されない場合（各ステップＳ３１、Ｓ３３、Ｓ３４、Ｓ３６及びＳ３７でＮＯ）、制御部１１はタイマー１３及びカウンタ１４を初期化する（ステップＳ４２）。その後、最初のステップＳ３１へ戻り、制御部１１は所定の振動の検出を繰り返す。
【００４２】
なお、共振周波数ｆｒの計測方法は、共振周波数ｆｒを計測できるのであれば上述した処理手順に限定されず、他の方法であってもよい。
【００４３】
共振周波数ｆｒを計測後、図５に示すように、制御部１１は、駆動部６３によりＲＣスナバ回路６のトリムコンデンサ６２の静電容量Ｃｔを初期値Ｃ１に調整する（ステップＳ１５）。調整後の電圧Ｖｏｕｔが閾値Ｖｔｈを下回っていない場合（ステップＳ１６：ＮＯ）、制御部１１は、トリムコンデンサ６２の静電容量Ｃｔを一定値増やしたＣ２に調整する（ステップＳ１８）。例えば、初期値Ｃ１が１００（Ｆ）であり、一定値が１００（Ｆ）である場合、Ｃ２は２００（Ｆ）である。その後、制御部１１はステップＳ１６に戻り、電圧Ｖｏｕｔが閾値Ｖｔｈを下回ったか否かの判断を行う。
【００４４】
電圧Ｖｏｕｔが閾値Ｖｔｈを下回ると（ステップＳ１６：ＹＥＳ）、制御部１１は、電圧Ｖｏｕｔの現在の共振周波数ｆｒを上記と同様にして計測する。現在の共振周波数ｆｒの計測値が最初の計測値の一定周波数以下、例えば１／２以下に低下していなければ（ステップＳ１７：ＮＯ）、ステップＳ１８のトリムコンデンサ６２の静電容量Ｃｔの調整が繰り返される。すなわち、電圧Ｖｏｕｔが閾値Ｖｔｈ以上であり、かつ共振周波数ｆｒが１／２以下に低下しない間は、Ｃ１（Ｆ）からＣｎ（Ｆ）（ｎは静電容量の調整回数を表わす。）まで、トリムコンデンサ６２の静電容量Ｃｔが一定値ずつ増えていく。
【００４５】
一方、電圧Ｖｏｕｔが閾値Ｖｔｈを下回り（ステップＳ１６：ＹＥＳ）、かつ共振周波数ｆｒが元の１／２以下に低下すると（ステップＳ１７：ＹＥＳ）、制御部１１は、このときのトリムコンデンサ６２の静電容量ＣｎをＲＣスナバ回路６の静電容量Ｃｓｎｂとして決定する。制御部１１は、共振周波数ｆｒが元の１／２以下になるときのトリムコンデンサ６２の静電容量Ｃｎ、すなわちＣｓｎｂから、寄生容量Ｃｐと寄生インダクタンスＬｐを下記式（２）及び（３）により演算する。さらに、制御部１１は、演算した寄生容量Ｃｐと寄生インダクタンスＬｐから、下記式（４）により特性インピーダンスＺを演算する（ステップＳ１９）。
【数１】
2020092331.tif 000003
【００４６】
制御部１１は、ＲＣスナバ回路６の抵抗Ｒｓｎｂを、特性インピーダンスＺと同じ値に決定する。制御部１１は、決定した抵抗Ｒｓｎｂと、スイッチドキャパシタ６１のコンデンサ６１３の静電容量Ｃｓｗから、スイッチドキャパシタ６１のスイッチング周波数ｆｓｗを下記式（５）及び（６）により演算する。制御部１１は、あらかじめＣｓｗとＲｓｗの組み合わせに対応するｆｓｗを定めたルックアップテーブル（ＬＵＴ）を記憶部１２に保存し、このＬＵＴからＣｓｗ及びＲｓｗに対応するｆｓｗを取得してもよい。
（５）  ｆｓｗ＝１／（Ｒｓｗ×Ｃｓｗ）
（６）  Ｒｓｗ＝Ｒｓｎｂ＝Ｚ
【００４７】
制御部１１は、スイッチドキャパシタ６１のスイッチング素子６１１に駆動電流を供給するタイミングを制御して、演算したスイッチング周波数ｆｓｗに調整する。これにより、スイッチドキャパシタ６１の抵抗Ｒｓｗが抵抗Ｒｓｎｂに調整される（ステップＳ２０）。
【００４８】
以上のように、本実施形態のＥＣＵ１０では、スイッチング素子３１に並列にＲＣスナバ回路６が接続され、ＲＣスナバ回路６は抵抗器としてスイッチドキャパシタ６１を備え、コンデンサとしてトリムコンデンサ６２を備える。スイッチドキャパシタ６１の抵抗Ｒｓｗとトリムコンデンサ６２の静電容量Ｃｔは変更可能であるため、ＲＣスナバ回路６を車両に実装した状態で、ＲＣスナバ回路６の抵抗Ｒｓｎｂと静電容量Ｃｓｎｂを容易に調整できる。したがって、実装前だけでなく実装後もＬＣ共振の抑制に有効な適正値に調整することができ、ＬＣ共振による電圧変動を減らして回路を保護することができる。
【００４９】
また、閾値Ｖｔｈ以上の電圧変動を検出すると、制御部１１がＲＣスナバ回路６の抵抗Ｒｓｎｂと静電容量Ｃｓｎｂの調整を行う。抵抗器とコンデンサの部品交換及び人的作業が必要ないため、調整のためのコストを削減できる。
【００５０】
以上、本発明の好ましい実施形態について説明したが、本発明は、これらの実施形態に限定されず、その要旨の範囲内で種々の変形及び変更が可能である。
例えば、上記実施形態では、スイッチング素子３１と電磁機器３０間に設けられたＲＣスナバ回路６に本発明を適用したが、電源ＩＣ２と電源２０の間に設けられるＲＣスナバ回路に本発明を適用することもできる。本発明を適用したＲＣスナバ回路によって、電源２０から電源ＩＣ２を介してマイクロコンピュータ１等に流れる電流から、高周波ノイズを除去することができる。
【００５１】
また、車両に搭載されるＥＣＵ１０を電源制御装置の一例として挙げたが、これに限らず、電源２０のスイッチング素子を備えるのであれば、電化製品等に搭載される電源制御装置にも本発明を適用できる。
【００５２】
また、制御部１１による調整は、閾値Ｖｔｈ以上の電圧変動を検出した場合に限らず、オペレータから調整指示が入力された場合、一定間隔等の任意のタイミングで行われてもよい。
【符号の説明】
【００５３】
２０・・・電源、３０・・・電磁機器、１０・・・ＥＣＵ、１・・・マイクロコンピュータ、１１・・・制御部、３１・・・スイッチング素子、６・・・スナバ回路、６１・・・スイッチドキャパシタ、６２・・・トリムコンデンサ
【図１】
2020092331.tif 000004
【図２】
2020092331.tif 000005
【図３】
2020092331.tif 000006
【図４】
2020092331.tif 000007
【図５】
2020092331.tif 000008
【図６】
2020092331.tif 000009